(57)【特許請求の範囲】
【請求項１】
屋根の開口部の対向する平行な縁に沿って夫々設けられた左右の平行な走行路と、各走行路を個別に走行する左右の走行体と、左右の走行体に回動自在に軸支され且つ軸線が左右方向を向いた支持軸と、開口部の幅に対応した長さを有し支持軸に重心より上位において支持されて常に鉛直を保つハンガートラス梁とを有して、ハンガートラス梁が鉛直状態で支持軸を介して走行体に支持されて走行路を前後に移動可能に構成され、左右の走行体と支持軸とハンガートラス梁とからなる多数の移動ユニットが前後方向に移動可能に配設されてなり、前後の移動ユニットの各ハンガートラス梁の間には両ハンガートラスの間隔が狭くなったときに屈折可能な繋ぎ材を渡設するとともに、繋ぎ材の上側に屋根材を配設したことを特徴とする折り畳み式開閉屋根。
【請求項２】
前記繋ぎ材をヒンジにより上方へ屈折可能に構成し、この繋ぎ材をハンガートラス梁の間で梁の長手方向の多数個所で、各繋ぎ材を相互に独立させてハンガートラス梁の間に多数渡設したことを特徴とする請求項１に記載の折り畳み式開閉屋根。
【請求項３】
前記繋ぎ材は、前側のハンガートラス梁にヒンジで枢着され且つ後側に突設されて上弦材をなす前側の小梁と、後側のハンガートラス梁にヒンジで枢着され且つ前側に突設されて上弦材をなし前端が前側の小梁にヒンジで枢着された後側の小梁と、前後の小梁どうしを枢着するヒンジの部分に取り付けられた束材と、小梁より下の位置で束材の下部と前後のハンガートラス梁との間に夫々渡設されてこれらの間の距離が所定値を超えないように張力を負担する前後の下弦材とからなり、前後のハンガートラス梁と前後の小梁との各枢着位置を結ぶ線より、前後の小梁どうしの枢着位置を上に配置して、前後のハンガートラス梁の間隔が狭くなったときに前後の小梁が上に屈折するように構成したことを特徴とする請求項１又は請求項２に記載の折り畳み式開閉屋根。
【請求項４】
前記束材の上端を両小梁より上位に突出させるとともに、束材の上側を経て前後のハンガートラス梁の間に屋根材として膜材を張設し、前後のハンガートラス梁の距離の最大時に、ハンガートラス梁における膜材の定着位置と束材上端との距離が最大になるように構成したことを特徴とする請求項３に記載の折り畳み式開閉屋根。
【発明の詳細な説明】
【０００１】
【発明の属する技術分野】
この発明は、折り畳み式開閉屋根に関し、特に大規模な蛇腹式の折り畳み式開閉屋根に好適な装置に関する。
【０００２】
【従来の技術】
近年、屋根の全部又は一部を開閉式とする大規模な建物が運動施設或いは多目的施設等として普及しており、その一例として、変形しない移動屋根を、固定屋根の開口部と固定屋根の上又は下側の収納位置との間で移動させることにより屋根の一部を開閉式とするものがある。
【０００３】
しかし、この例では固定屋根の上又は下側に収納位置を設ける必要があるために屋根の開口率が限定されるとともに移動屋根の収納に広いスペースが必要となるという不具合がある。
そこで、移動屋根の収納時には移動屋根の長さを縮小して収納スペースを小さくできる折り畳み式の開閉屋根が特開平１０−１０２６６６号公報等に記載されるように提案されている。
【０００４】
この折り畳み式の開閉屋根は、屋根の開口部の左右の縁に沿って相互に平行に配置された走行路間に、走行路の延在方向たる前後方向に多数の開閉ユニットが配設されてなる。その開閉ユニットは、左右方向に長い平面トラスからなる一対のパネル状の開閉フレームの上端どうしを枢着してなり、両開閉フレームを下側において開閉できるようになっている。そして、両開閉フレームの下部の間は前記開閉が可能なように伸折可能な繋ぎ材で連結されて、横断面において二等辺をなす開閉フレームと底辺をなす繋ぎ材により略三角形をなしている。この横断面が略三角形をなす前後の開閉ユニットは前記開閉フレームの下端において連続されて全体として蛇腹式に連続する折り畳み開閉屋根となっている。
【０００５】
【発明が解決しようとする課題】
前記公開公報に記載の開閉屋根においては、相互に枢着されて開閉する両開閉フレームが、左右の走行路の間にわたって左右に長い平面トラスからなるパネル状に構成されているために両開閉フレームはいわば剛構造をなしている。このため、開口部の幅が大きい大規模な開閉屋根になると開閉フレームの長さも大になるから、この開閉フレームには撓みが生じて、両開閉フレームを枢着するヒンジのピンに過大な剪断力が負荷されることになる。このため、前記撓みを防止するために開閉フレームの平面トラスの剛性を上げると鉄骨量の増大を招いて構造的及び経済的に不利なものとなる不具合がある。
【０００６】
また、この蛇腹式の開閉屋根は前記のように剛性の高いパネル状の開閉フレームが前後に連続するものであるため、これらを走行路に沿って移動させるための左右の駆動装置の制御が、各開閉フレームに歪みが発生しないように精密であることが求められ、特に走行路の勾配が位置によって変動する斜路である場合には走行抵抗が変動するために、この変動時にも左右の駆動力が均衡するように制御することが必要であるから駆動装置の制御が複雑になるという不具合もある。
【０００７】
さらに、この蛇腹式の開閉屋根は、移動時に走行路の勾配の変動により開閉フレームの傾斜角度が変動するものであるため、この点においても構造的な安定性が低いという不具合もある。
そこでこの発明の目的は、左右の走行路間に架設される部材に撓みが生じても開閉のためのヒンジのピンに無理な力が負荷されることがない折り畳み式屋根を得ることにあり、またこの発明の目的は、左右の走行路のスパンが大きい大規模な開閉屋根においても鉄骨量が少なく軽量な折り畳み式屋根を得ることにあり、またこの発明の目的は、左右の駆動装置の規模が小さくて足り、且つ左右の駆動装置の駆動制御が容易な折り畳み式屋根を得ることにあり、さらにこの発明の目的は、走行路を移動時も左右の走行路間に架設される部材の姿勢が大きく変化することがなくて移動中にも構造的な安定性の高い折り畳み式屋根を得ることにある。
【０００８】
【課題を解決するための手段】
上記目的を達成するために、請求項１に記載の発明は、屋根の開口部の対向する平行な縁に沿って夫々設けられた左右の平行な走行路と、各走行路を個別に走行する左右の走行体と、左右の走行体に回動自在に軸支され且つ軸線が左右方向を向いた支持軸と、開口部の幅に対応した長さを有し支持軸に重心より上位において支持されて常に鉛直を保つハンガートラス梁とを有して、ハンガートラス梁が鉛直状態で支持軸を介して走行体に支持されて走行路を前後に移動可能に構成されている。さらに、左右の走行体と支持軸とハンガートラス梁とからなる多数の移動ユニットが前後方向に移動可能に配設されてなり、前後の移動ユニットの各ハンガートラス梁の間には両ハンガートラスの間隔が狭くなったときに屈折可能な繋ぎ材を渡設するとともに、繋ぎ材の上側に屋根材を配設して折り畳み式開閉屋根が構成されている。前記繋ぎ材の屈折は、上方又は下方への屈折が好適であるが左右へ屈折するものであってもよい。
【０００９】
この請求項１に記載の発明によれば、前後いずれかの端部をなすハンガートラス梁を、このハンガートラス梁，その支持軸又は走行体に駆動装置を連結して前後に移動させることにより、繋ぎ材を介して前後に連なるハンガートラス梁の間隔が順次拡がり、繋ぎ材は伸展しながら屋根が閉じ、又は前記間隔が順次縮小し、繋ぎ材は屈折しながら屋根が折り畳まれて開くことになる。この場合、屋根を閉じるときには、移動方向先端の先行するハンガートラス梁が繋ぎ材を介して次行のハンガートラス梁を引っ張ることにより繋ぎ材は伸展され、逆に屋根を開くときには移動方向後端の後行のハンガートラス梁がその移動方向前側のハンガートラス梁に接近することにより繋ぎ材は屈折し、そのまま前側のハンガートラス梁が押されることになる。
【００１０】
ここで、走行路の勾配が位置によって変動する斜路である場合にもハンガートラス梁は常に鉛直を保つため、ハンガートラス梁の移動と，繋ぎ材の屈折及び伸長作動とが常に安定したものとなる。
屋根の一つの開口部には一組の折り畳み式開閉屋根を設置して、これにより開口部全体を開閉できるようにすることもできるし、夫々別の折り畳み式開閉屋根を、走行路の長手方向である前後方向に一対設けることにより、両開きの開閉屋根にすることもできる。
【００１１】
また、請求項２に記載の発明は、請求項１に記載の前記発明において、前記繋ぎ材をヒンジにより上方へ屈折可能に構成し、この繋ぎ材をハンガートラス梁の間で梁の長手方向の多数個所で、各繋ぎ材を相互に独立させてハンガートラス梁の間に多数渡設したものとしている。
この請求項２に記載の発明によれば、請求項１の発明の前記作用の他に次の作用がある。すなわち、ヒンジにより上方へ屈折可能にした繋ぎ材は前後のハンガートラス梁の間に、梁の長手方向（すなわち開口部の左右方向）の多数個所で独立させて渡設しているから、各ヒンジの部分におけるハンガートラス梁の撓みや歪み量は無視できる程度に小さく、したがって各ヒンジのピンに負荷される剪断力は小さい。このためハンガートラス梁は撓みや歪みの発生が許容されるために、左右の走行路間のスパンが大である開閉屋根であっても鉄骨量を抑制して軽量化を計ることができ、また左右の走行体の非同調も許容されることになりハンガートラス梁の駆動装置の制御も容易になる。またヒンジのピンに無理な力が加わらないため、繋ぎ材の屈折及び伸長作動がこの点においても円滑になされる。
【００１２】
また、請求項３に記載の発明は、請求項１又は請求項２に記載の発明において、前記繋ぎ材を、前側のハンガートラス梁にヒンジで枢着され且つ後側に突設されて上弦材をなす前側の小梁と、後側のハンガートラス梁にヒンジで枢着され且つ前側に突設されて上弦材をなし前端が前側の小梁にヒンジで枢着された後側の小梁と、前後の小梁どうしを枢着するヒンジの部分に取り付けられた束材と、小梁より下の位置で束材の下部と前後のハンガートラス梁との間に夫々渡設されてこれらの間の距離が所定値を超えないように張力を負担する前後の下弦材とから構成し、前後のハンガートラス梁と前後の小梁との各枢着位置を結ぶ線より、前後の小梁どうしの枢着位置を上に配置して、前後のハンガートラス梁の間隔が狭くなったときに前後の小梁が上に屈折するように構成している。
【００１３】
この請求項３に記載の発明においては、請求項１又は請求項２の前記作用に加えて次の作用がある。すなわち、前後の小梁と前後のハンガートラス梁との間の枢着位置を結ぶ線よりも小梁どうしの枢着位置を上に配置し、前後のハンガートラス梁の間隔が拡がって前後の小梁が伸展することにより折り畳み屋根が閉じたときにも前記枢着位置の関係を前後の下弦材により維持したため、折り畳み屋根を開くときに前後のハンガートラス梁が相対的に接近すると前後の小梁は容易に上方に屈折されるから、折り畳み屋根の開放が容易且つ確実になる。また、折り畳み屋根が閉じた状態では前後の両下弦材に張力が負荷されるから、この状態では、両上弦材間の枢着部の位置と両下弦材の束材側の端部の位置が特定される。するとこれら両位置の特定によって束材の姿勢が特定されることになる。また、繋ぎ材を張弦梁とすることで部材を軽量化することができ、経済設計が可能となる。
【００１４】
さらに、請求項４に記載された発明は、請求項３に記載された発明において、前記束材の上端を両小梁より上位に突出させるとともに、束材の上側を経て前後のハンガートラス梁の間に屋根材として膜材を張設し、前後のハンガートラス梁の距離の最大時に、ハンガートラス梁における膜材の定着位置と束材上端との距離が最大になるように構成したものである。
【００１５】
この請求項４に記載の発明においては、請求項３の前記作用に加えて、前後のハンガートラス梁間の距離の最大時、すなわち折り畳み屋根が閉じた状態で膜材を前後のハンガートラス梁間に張っておけば、前後のハンガートラス梁間の距離が狭くなったとき、すなわち折り畳み屋根が開いたときに膜材に弛みができる場合でも、この屋根を閉じたときには自動的に膜材に張りが出て、膜屋根に皺が出ることがない。
【００１６】
【発明の実施の形態】
図はこの発明の実施の形態を示すものであり、図１は折り畳み式開閉屋根装置の斜視説明図である。ここでは、左右の走行レール１１の全長にわたる片開きの折り畳み式開閉屋根１５を用い、説明の便宜のために一部において閉じ、また別の一部において開き、さらに別の一部において膜材１４を省略して示している。また、図２は左右の走行レール１１に一つの開閉屋根１５を架設しており、説明の便宜のために、同図の左半部は開閉屋根１５の全体を左方へ移動させて開いた状態の屋根の全体を示し、同図の右半部は開閉屋根１５を閉じた状態の屋根の約半分を示している。この発明においては片開きと両開きのいずれの開閉屋根１５をも含むものであるが、以下においては走行レール１１に一つの開閉屋根１５が架設された片開きの実施形態に基づいて説明する。
【００１７】
また、この実施形態では、建物の本体については省略しており、その固定屋根１６が図３に示されるだけであるが、建物としては、スポーツ施設，コンサートホール，多目的ホール等の大型の建物であれば各種のものに適用することができる。
前記固定屋根１６の中央部には平面長方形の開口部２６が開口しており、この開口部２６の長辺の縁に沿って、固定屋根１６の下側にはキールトラス１０が架設されている。キールトラス１０の両端は建物における柱などの耐荷部分に支持されていて、折り畳み式開閉屋根１５と固定屋根１６の荷重をキールトラス１０を介して前記耐荷部分が支持している。
【００１８】
キールトラス１０の上側では固定屋根１６の縁に走行路たる走行レール１１が設けられている。走行レール１１は開口部２６の左右の長辺の縁に沿い平面視において平行をなしており、固定屋根１６は中央部が高く周囲部が低い形状をしているため、左右の走行レール１１もそれに倣って側面視においてアーチ型をしている。
【００１９】
走行レール１１には走行体１７が走行レール１１に沿って走行自在に係合しており、後述するように走行レール１１に係合する多数の走行体１７のうち端部の走行体１７には、これを走行駆動するための駆動装置が連結されている。駆動装置としては、走行体１７を押し引きするための力を付与できる装置であれば各種のものを採用することができるが、走行体１７に連結したワイヤロープを巻き取り及び巻き出しするウィンチもその一つである。この場合にも、傾きのある走行レール１１上を走行させるときには、上りにウィンチを巻き取り駆動させて下りにはウィンチを巻き出することにより自重で走行させる形式や、往復ともウィンチの駆動力を用いる形式のものを選択することができる。また走行体１７としては、走行レール１１を転動する機構のものや摺動する機構のものなど、走行レール１１に係合したまま走行レール１１に沿って移動できるものを全て適用することができる。
【００２０】
走行体１７には軸線が左右方向に延びる支持軸１８の端部が回動自在に軸支されている。図示の形態では左右の走行体１７に個別に支持軸１８が軸支され、左右の支持軸１８の軸線は同一直線上にあるが、左右の支持軸１８は一本の連続する軸であってもよい。
左右の支持軸１８には、固定屋根１６の前記開口部２６の幅に対応する長さのハンガートラス梁１２が固定され、以てハンガートラス梁１２は支持軸１８の軸線回りに回動可能に走行体１７に支持されている。かくして、左右の走行体１７と支持軸１８とハンガートラス梁１２とからなる移動ユニットが、走行路１１に沿って前後に移動可能になっている。一方、ハンガートラス梁１２の重心位置は支持軸１８より下位に設定されていて、傾斜した走行レール１１を移動する走行体１７の前後方向への傾きとは無関係に、ハンガートラス梁１２は支持軸１８に吊り下げられて常時鉛直姿勢が維持されるようにしてある。なお、図７においてはハンガートラス梁１２の右端部分が示されているが、左端部分はこれと左右対称に表れる。
【００２１】
ハンガートラス梁１２の上面は幅広になっていて、その幅方向中央には梁の長手方向に連続する作業路２７が設けられ、その作業路２７の両側は立ち上がり部材２８が立設されて、これが作業路２７の手すりを兼ねる後述の膜材の定着部２４を構成している。また、ハンガートラス梁１２の下部上面にも作業路２９が形成されている。作業路２７，２９上の符号Ｐは作業員を示している。
【００２２】
左右の走行体１７と支持軸１８とハンガートラス梁１２とからなる多数の移動ユニットは前記の通りに走行レール１１に前後して配設される。そして、前後の移動ユニットの各ハンガートラス梁１２の間には繋ぎ材１３を渡設するとともに、繋ぎ材１３の上側に屋根を構成する膜材１４を張設している。前記繋ぎ材１３はハンガートラス梁１２の間で、梁１２の長手方向の多数個所において、相互に独立させて多数渡設されている。
【００２３】
この繋ぎ材１３を詳細に説明すると、繋ぎ材１３は、前側のハンガートラス梁１２にヒンジ２２で枢着され且つ後側に突設されて上弦材をなす前側の小梁１９と、後側のハンガートラス梁１２にヒンジ２２で枢着され且つ前側に突設されて上弦材をなし前端が前側の小梁１９にヒンジ２３で枢着された後側の小梁１９と、前後の小梁１９どうしを枢着するヒンジ２３の部分に取り付けられた束材２０と、小梁１９より下の位置で束材２０の下部と前後のハンガートラス梁１２との間に夫々渡設されてこれらの間の距離が所定値を超えないように張力を負担する前後の下弦材２１とからなる。これにより、前後のハンガートラス梁１２と前後の小梁１９との各枢着位置を結ぶ線より、前後の小梁１９どうしの枢着位置を上に配置して、前後のハンガートラス梁１２の間隔が狭くなったときに前後の小梁１９が上に屈折するように構成されている。前記下弦材２１は具体的にはワイヤロープからなり、前後の小梁１９が上に屈折したときには下弦材２１は弛むようになっている。
【００２４】
前後の小梁１９どうしを枢着するヒンジ２３は、前後の小梁１９，１９に対応したヒンジピンを個別に支持する前後の小板２３ａ，２３ａと、この小板２３ａ，２３ａを上端の前後に備えて下方に延びる縦棒２３ｂとからなる。また、束材２０は、小梁１９の先端どうしの上方に位置する方形の上端枠２０ａと、この上端枠２０ａの四隅と前記ヒンジ２３の縦棒２３ｂの上部との間を連結している４本の短棒２０ｂと、前記上端枠２０ａの四隅と前記縦棒２３ｂの下部との間を連結している４本の長棒２０ｃとからなる。前記短棒２０ｂと長棒２０ｃとは小梁１９の左右側方を経由して延在している。また、上端枠２０ａの前後の辺には棒状の定着部２４が夫々左右に延び且つ相互に平行に設けられる。
【００２５】
かくして、束材２０の上下方向における中間部は、短棒２０ｂの下端において、前後の小梁１９どうしを枢着するヒンジ２３の縦棒２３ｂ上部に支持される一方、束材２０の下端は前記縦棒２３ｃの下部に支持されるとともに前後の下弦材２１に連結されているから、前後のハンガートラス梁１２の間隔が開いて開閉屋根１５が閉じたときには前後の下弦材２１の張力により束材２０の下端位置が特定される。かくして、束材２０は中間位置と下端位置とが特定されるから、開閉屋根１５が閉じたときには束材２０の相対的な姿勢が特定される。この実施形態の束材２０は、両小梁１９が前後のハンガートラス梁１２に枢着される各ヒンジ２２を結ぶ線に対して鉛直の姿勢になる。
【００２６】
膜材１４は屋根の本体を構成するものであり、前後のハンガートラス梁１２間に張設される。ハンガートラス梁１２の上面には前記のように立ち上がり部材２８が立設されていて、前後のハンガートラス梁１２の立ち上がり部材２８間に膜材１４が張設される。各立ち上がり部材２８の上端には膜材１４の定着部２４が形成されていて、膜材１４は前後において両立ち上がり部材２８上端に定着され、且つ中間において束材２０上端の定着部２４に定着されている。なお、開閉屋根１５をなす閉じ側の端部では、最終端のハンガートラス梁１２と固定屋根１６又は建物本体との間に膜材１４が張設されることになる。
【００２７】
なお、開閉屋根１５が閉じた状態では、開閉屋根１５とその左右の固定屋根１６との間、及び開閉屋根１５とその前後の固定屋根１６又は建物本体との間では、いずれも雨仕舞いが施されていることは勿論である。
ここでは、立ち上がり部材２８上端の定着部２４と束材２０の定着部２４との距離と、小梁１９両端のヒンジ２２，２３のピン相互の距離と、ヒンジ２２のピンと立ち上がり部材２８の定着部２４との距離と、ヒンジ２３のピンと束材２０の定着部２４との距離などの相対的な関係を図５に示すものとすることによって、前後のハンガートラス梁１２における膜材の定着部２４と束材２０の定着部２４との距離が最大になるようにしてあって、開閉屋根１５が閉じた状態では膜材１４には張りが与えられるとともに、開閉屋根１５が開いた状態では膜材１４に少しの弛みが生じるようになっている。
【００２８】
而して、開閉屋根１５の前後いずれかの端部をなすハンガートラス梁１２を、このハンガートラス梁１２の走行体１７に連結された駆動装置を駆動させて前後いずれかに移動させると、繋ぎ材１３を介して前後に連なるハンガートラス梁１２の間隔が順次拡がり、繋ぎ材１３は伸展しながら屋根１５が閉じ、又は前記間隔が順次縮小し、繋ぎ材１３は屈折しながら屋根１５が折り畳まれて開くことになる。
【００２９】
この場合、開閉屋根１５を閉じるときには、移動方向先端の先行するハンガートラス梁１２が繋ぎ材１３を介して次行のハンガートラス梁１２を引っ張ることにより繋ぎ材１３は伸展される（図５における実線で示した状態）。また逆に開閉屋根１５を開くときには移動方向後端の後行のハンガートラス梁１２がその移動方向前側のハンガートラス梁１２に接近することにより繋ぎ材１３は屈折し（図５において破線で示す状態）、そのまま前側のハンガートラス梁１２が押される。かくして、開閉屋根１５の開閉は端部のハンガートラス梁１２から他端部のハンガートラス梁１２に向けて各ハンガートラス梁１２が順次移動することによって行われる。
【００３０】
このとき、この実施形態のように走行レール１１の勾配が位置によって変動する斜路である場合にもハンガートラス梁１２は常に鉛直を保つため、ハンガートラス梁１２の移動と，繋ぎ材１３の屈折及び伸長作動とが常に安定したものとなる。
前記繋ぎ材１３は、前後のハンガートラス梁１２の間に多数が配置され、これらは左右に渡って所定間隔に且つ相互に独立してハンガートラス梁１２間に渡設されているから、各ヒンジ２２の部分におけるハンガートラス梁１２の撓みや歪み量は無視できる程度に小さく、したがって各ヒンジ２２のピンに負荷される剪断力は小さい。
【００３１】
このようにハンガートラス梁１２は撓みや歪みの発生が許容されるために、左右の走行レール１１間のスパンが大である開閉屋根１５であっても鉄骨量を抑制して軽量化を計ることができ、また左右の走行体１７も高精度に同調することが要求されないからハンガートラス梁１２の駆動装置の制御も容易になる。またヒンジ２２のピンに無理な力が加わらないため、繋ぎ材１３の屈折及び伸長作動がこの点においても円滑になる。また、繋ぎ材１３は軽量且つ低剛性の部材で構成されているためハンガートラス梁１２の撓みに追随するとともに、左右の走行体１７の不均衡な走行に対してもヒンジ２２，２３に無理な力が負荷されず、経済設計を可能にしている。
【００３２】
また、繋ぎ材１３における前後の小梁１９と前後のハンガートラス梁１２との間のヒンジ２２のピンどうしを結ぶ線よりも、小梁１９どうし連結するヒンジ２３のピンの位置を上に設定し、前後のハンガートラス梁１２の間隔が拡がって前後の小梁１９が伸展することにより開閉屋根１５が閉じたときにも前記ピンの位置の関係を前後の下弦材２１の張力により維持したため、開閉屋根１５を開くときに前後のハンガートラス梁１２が相対的に接近すると前後の小梁１９は容易に上方に屈折されるから、開閉屋根１５の開放が容易且つ確実になる。
【００３３】
また、開閉屋根１５が閉じた状態では前後の両下弦材２１に張力が負荷されるから、この状態では、両小梁１９間のヒンジ２３と両下弦材２１の束材２０側の端部の位置が特定される。するとこれら両位置の特定によって束材２０の姿勢が特定されることになる。一方、開閉屋根１５が開いた状態では、下弦材２１の前記張力は解消するもののヒンジ２３は両小梁１９の間に拘束されるから、束材２０の姿勢が大きく変化することはない（図５の破線参照）。
【００３４】
以上の実施形態では、固定屋根１６の一つの開口部２６に一組の折り畳み式開閉屋根１５を設置して片開きとし、これにより開口部２６全体を開閉できるようにしたが、夫々別の折り畳み式開閉屋根１５を前後方向に一対設けることにより両開きにした場合には、屋根を閉じたときに、両開閉屋根１５の移動先端をなすハンガートラス梁１２どうしが接合することになる。このため、接合されるハンガートラス梁１２どうしの間には、一方の梁１２に他方の梁１２の上面に至る庇などを設け、或いは少なくとも一方のハンガートラス梁１２の接合面にゴム質のウェザーストリップ（シール材）を設けることにより、両ハンガートラス梁１２間の雨仕舞いを施しておくものとする。また、両開閉屋根１５を開く動作が開始するまでの間は前記ハンガートラス梁１２どうしの接合を維持できるようにロック機構を設けておき、このロック機構は、走行体１７の駆動装置に連動して、同駆動装置が開閉屋根１５を開くための駆動を開始するときに前記のロック機構を解除するようにしておくと好適である。
【００３５】
【発明の効果】
以上説明したように、請求項１の発明によれば、走行路の勾配が場所により変動する斜路である場合にもハンガートラス梁は常に鉛直を保つため、ハンガートラス梁の移動と、繋ぎ材の屈折及び伸長作動とが常に安定したものとなって、開閉屋根が構造的に安定性の高いものとなる効果がある。
【００３６】
また、請求項２に記載の発明によれば、請求項１の発明の前記効果に加えて、繋ぎ材と前後のハンガートラス梁の各ヒンジの部分におけるハンガートラス梁の撓みや歪み量は無視できる程度に小さいから、各ヒンジのピンに負荷される剪断力は小さい。このためハンガートラス梁は撓みや歪みの発生が許容されるために、左右の走行路間のスパンが大である開閉屋根であっても鉄骨量を抑制して軽量化を計ることができ、また左右の走行体の非同調も許容されることになりハンガートラス梁の駆動装置の制御も容易になる。またハンガートラス梁の軽量化により左右の駆動装置を小規模にすることができるし、前記のようにヒンジのピンに無理な力が加わらないため、繋ぎ材の屈折及び伸長作動がこの点においても円滑になされる効果がある。
【００３７】
また、請求項３に記載の発明によれば、請求項１又は請求項２の前記効果に加えて、前後のハンガートラス梁間の繋ぎ材をなす前後の小梁は、折り畳み屋根を開くときに前後のハンガートラス梁の相対的な接近により容易に上方に屈折されるから、折り畳み屋根の開放が容易且つ確実になる効果がある。また繋ぎ材を張弦梁とすることで部材を軽量化でき経済設計が可能となる効果もある。
【００３８】
さらに、請求項４に記載された発明によれば、請求項３の前記効果に加えて、折り畳み屋根が開いたときに膜材に弛みができる場合でも、この屋根を閉じたときには自動的に膜材に張りが出るから膜屋根に皺が出ることがなく、外観美に優れたものとすることができる効果がある。
【図面の簡単な説明】
【図１】開閉屋根の斜視説明図であり、片開きの折り畳み式開閉屋根を使用した場合を示している。
【図２】開閉屋根の側面図であり、片開きの折り畳み式開閉屋根を使用し、左半部はそれを開いた状態、右半部はそれを閉じた状態を示している。
【図３】開閉屋根と固定屋根の、ハンガートラス梁に沿う方向の縦断面図である。
【図４】２本のハンガートラス梁とそれらの間の繋ぎ材との関係を示す説明図であり、左半部は平面図、右半部はハンガートラス梁の下部における平断面図である。
【図５】２つのハンガートラス梁と、これらの間の繋ぎ材との関係を示す拡大側面図である。
【図６】図５の要部の斜視図である。
【図７】ハンガートラス梁の右端部と固定屋根との関係を示す説明図である。
【符号の説明】
１１      走行レール（走行路）
１２      ハンガートラス梁
１３      繋ぎ材
１４      膜材
１５      開閉屋根
１６      固定屋根
１７      走行体
１８      支持軸
１９      小梁（上弦材）
２０      束材
２１      ワイヤロープ（下弦材）
２２，２３  ヒンジ
２４      膜材の定着部
２６      固定屋根の開口部
【図１】
0003992868.tif 000002
【図２】
0003992868.tif 000003
【図３】
0003992868.tif 000004
【図４】
0003992868.tif 000005
【図５】
0003992868.tif 000006
【図６】
0003992868.tif 000007
【図７】
0003992868.tif 000008